(57)【要約】【課題】ディストリビュータの洗浄中における、沈殿槽の処理性能を向上することができるディストリビュータの洗浄構造を提供する。【解決手段】ディストリビュータの洗浄構造は、槽内の処理水を取り出す取出部と、取出部から取り出された処理水を洗浄液としてディストリビュータの内部に供給する洗浄部とを有し、更に、取出部と洗浄部とを接続する洗浄液ラインとを備えている。このように、取出部と洗浄部とを直接洗浄液ラインで接続することによって、槽内の処理水と洗浄液との間の温度差を低減することができるため、槽内での水流の乱れを更に低減することができる。また、取出部は、上下方向において、処理水の水面側の第１の流出口とディストリビュータとの間の位置から、槽内の処理水を取り出すことによって、槽内で処理水の上昇流の上昇速度を抑制することができる。【選択図】図１
2014200753.tif 000002
【特許請求の範囲】
【請求項１】
沈降分離を行う槽と、
前記槽内に直立状態で配設されており、被処理水が導入されるチャンバと、
前記チャンバ内の処理水を前記槽内に分配供給するディストリビュータと、を備える沈殿槽に設けられ、前記ディストリビュータを洗浄する洗浄構造であって、
上下方向において、前記槽内の前記処理水の水面側の第１の流出口と前記ディストリビュータとの間の位置から、前記槽内の前記処理水を取り出す取出部と、
前記取出部から取り出された前記処理水を洗浄液として前記ディストリビュータの内部に供給する洗浄部と、
前記取出部と前記洗浄部とを接続する洗浄液ラインと、を備えるディストリビュータの洗浄構造。
【請求項２】
前記取出部は、前記槽の側面に設けられた第２の流出口によって構成されている、請求項１に記載のディストリビュータの洗浄構造。
【請求項３】
前記取出部は、前記槽内に配置されるポンプによって構成されている、請求項１に記載のディストリビュータの洗浄構造。
【請求項４】
前記洗浄部は、前記ディストリビュータの内部に対し、前記取出部側へ向けて前記洗浄液を供給する、請求項１〜３の何れか一項に記載のディストリビュータの洗浄構造。
【発明の詳細な説明】
【技術分野】
【０００１】
本発明は、ディストリビュータの洗浄構造に関する。
【背景技術】
【０００２】
従来、沈殿槽として、ディストリビュータを有するものが知られている。このような沈殿槽は、槽内に直立状態で配設されて被処理水が導入されるチャンバと、チャンバ内の被処理水を槽内に分配供給するディストリビュータと、を備えている。ここで、ディストリビュータの閉塞を防止するために、当該ディストリビュータの洗浄が行われる。例えば、特許文献１に記載のディストリビュータの洗浄構造では、ディストリビュータを洗浄する際の洗浄液として、沈殿槽によって処理された上澄液を用いている。
【先行技術文献】
【特許文献】
【０００３】
【特許文献１】特開２００２−２８２６０８号公報
【発明の概要】
【発明が解決しようとする課題】
【０００４】
ここで、上述のディストリビュータの洗浄構造では、沈殿槽での処理が終了した処理水を貯留槽に貯めておき、当該貯留槽から取り出した処理水を洗浄液としてディストリビュータに供給している。このようなシステム構成においては、沈殿槽中の処理水と洗浄液との間の温度の差や、沈殿槽中の上昇流などによって、洗浄中における清澄性に影響が及ぼされる場合があった。従って、ディストリビュータの洗浄中における、沈殿槽の処理性能の更なる向上が求められていた。
【０００５】
本発明は、このような課題を解決するためになされたものであり、ディストリビュータの洗浄中における、沈殿槽の処理性能を向上することができるディストリビュータの洗浄構造を提供することを目的とする。
【課題を解決するための手段】
【０００６】
本発明に係るディストリビュータの洗浄構造は、沈降分離を行う槽と、槽内に直立状態で配設されており、被処理水が導入されるチャンバと、チャンバ内の処理水を槽内に分配供給するディストリビュータと、を備える沈殿槽に設けられ、ディストリビュータを洗浄する洗浄構造であって、上下方向において、槽内の処理水の水面側の第１の流出口とディストリビュータとの間の位置から、槽内の処理水を取り出す取出部と、取出部から取り出された処理水を洗浄液としてディストリビュータの内部に供給する洗浄部と、取出部と洗浄部とを接続する洗浄液ラインと、を備える。
【０００７】
本発明に係るディストリビュータの洗浄構造は、槽内の処理水を取り出す取出部と、取出部から取り出された処理水を洗浄液としてディストリビュータの内部に供給する洗浄部とを有し、更に、取出部と洗浄部とを接続する洗浄液ラインとを備えている。このように、取出部と洗浄部とを直接洗浄液ラインで接続することによって、槽内の処理水と洗浄液との間の温度差を低減することができるため、槽内での水流の乱れを更に低減することができる。また、取出部は、上下方向において、処理水の水面側の第１の流出口とディストリビュータとの間の位置から、槽内の処理水を取り出すことによって、槽内で洗浄液による上昇流の増加を抑制することができる。以上によって、ディストリビュータの洗浄中における、処理性能を向上することができる。
【０００８】
また、本発明に係るディストリビュータの洗浄構造において、取出部は、槽の側面に設けられた第２の流出口によって構成されていてよい。これによって、槽内の処理水を容易に取り出すことが可能となる。
【０００９】
また、本発明に係るディストリビュータの洗浄構造において、取出部は、槽内に配置されるポンプによって構成されていてよい。これによって、ポンプの位置を変更することで容易に洗浄液の取り出し位置を変更することが可能となる。
【００１０】
また、本発明に係るディストリビュータの洗浄構造において、洗浄部は、ディストリビュータの内部に対し、取出部側へ向けて洗浄液を供給してよい。これによって、ディストリビュータ内に付着していた固形物を、ディストリビュータから吐き出されたときに直ちに取出部で取り出すことにより、槽内で拡散することを抑制できる。
【発明の効果】
【００１１】
本発明によれば、ディストリビュータの洗浄中における沈殿槽の処理性能を向上できる。
【図面の簡単な説明】
【００１２】
【図１】本発明の実施形態に係るディストリビュータの洗浄構造を備える凝集沈殿処理システムの構成を示す概略構成図である。
【図２】図１に示す高速凝集沈殿槽を上方から見た概略平面図である。
【図３】従来のディストリビュータの洗浄構造を備える凝集沈殿処理システムの構成を示す概略構成図である。
【発明を実施するための形態】
【００１３】
以下、添付図面を参照して、本発明を実施するための形態を詳細に説明する。
【００１４】
図１は、本発明の実施形態に係るディストリビュータの洗浄構造を備える凝集沈殿処理システムを示す構成図である。まず、図１を参照して、凝集沈殿処理システムの全体的な概略構成について説明する。
【００１５】
図１に示すように、凝集沈殿処理システム１００は、導入された被処理水の凝集沈殿処理を行う高速凝集沈殿槽３を備えている。なお、被処理水の種類は特に限定されず、無機排水でも有機排水でもよく、活性汚泥処理などによる処理水が導入されてもよい。高速凝集沈殿槽３は、汚泥を沈降分離する槽１１と、槽１１内に直立状態で配設されているミキシングチャンバ１２と、ミキシングチャンバ１２内の処理水を槽１１内に分配供給するディストリビュータ１４と、を備えている。この高速凝集沈殿槽３は、具体的には、槽１１内に直立状態で配設されたミキシングチャンバ１２内に被処理水を導入すると共に、ミキシングチャンバ１２内に被処理水中の懸濁物質を凝集させるための各種添加剤が添加され、この状態で、ミキシングチャンバ１２内に配設された回転ミキサ１３の回転による撹拌を行うことで、添加剤とフロックとの接触性を高めてフロックを集合させ粗大化した粗大フロックを生成すると共に、このミキシングチャンバ１２内の粗大フロックを含む処理水を、水平且つ放射状に延び回転するディストリビュータ１４から槽１１内に均等に分散供給し、槽１１内に均等な上昇流を形成することで、粗大フロックを沈降分離させて槽１１内底部に濃縮汚泥層を形成する一方で、この濃縮汚泥層の上に、凝集フロック分離槽、上澄みである清澄層を順に形成する。槽１１の底部には汚泥を引く抜く汚泥ラインＬ１が設けられる。
【００１６】
ディストリビュータ１４は、基本的には、センタシャフト２１に同軸に固定されミキシングチャンバ１２の下端部を閉じるよう配置されたカップ状の回転支持体１７と、回転支持体１７の内部と連通し且つ回転支持体１７の外周面から径方向外方に水平に延びる複数本（図２に示す例では４本とされているが、本数は特に限定されない）の吐出管１６とから構成されている。各吐出管１６の外端部は閉じられている。また、各吐出管１６の最下部には、その長手方向に沿って一列に複数の吐出孔１８が穿設されている。なお、吐出孔１８の個数や配列は特に限定されない。
【００１７】
センタシャフト２１は、ディストリビュータ１４よりも下方に延長されており、その先端にはレーキ２２が固定されている。レーキ２２は、処理水中の凝集フロックが沈降して形成する汚泥を濃縮すると共に、槽底面中央の汚泥引抜き用凹部に汚泥を掻き寄せるためのものである。
【００１８】
更に、槽１１内の上部にはトラフ（第１の流出口）２４が設けられており、このトラフ２４の上縁を越えた槽１１内の処理水の水面ＷＦ側の上澄液が処理済み液として、槽外部に流出されるようになっている。当該構造により、槽１１内の処理水の水面ＷＦが上昇して、トラフ２４の上縁からオーバーフローした分量の処理水が、槽外部に流出する。槽外部に流出した処理水は、ラインＬ５を通って回収される。
【００１９】
次に、図１を参照して、本実施形態に係る凝集沈殿処理システム１００の高速凝集沈殿槽３に設けられるディストリビュータの洗浄構造について詳細に説明する。上述のような高速凝集沈殿槽３においては、処理水中の凝集フロック等によりディストリビュータ１４の吐出管１６又は吐出孔１８が閉塞を起こすおそれがある。かかる閉塞を防止するために、図１に示すように、高速凝集沈殿槽３には、ディストリビュータ１４を洗浄するための洗浄構造３０が設けられている。なお、図１には、一の形態に係る洗浄構造３０Ａと、他の形態に係る洗浄構造３０Ｂとが両方示されているが、高速凝集沈殿槽３には、洗浄構造３０Ａと洗浄構造３０Ｂの少なくとも一方が設けられていればよい。すなわち、洗浄構造３０Ａのみが設けられていてもよく、洗浄構造３０Ｂのみが設けられていてもよく、両方設けられていてもよい。
【００２０】
洗浄構造３０は、槽１１内の処理水を洗浄液として取り出す取出部３５と、取出部３５から取り出された処理水を洗浄液としてディストリビュータ１４内部に供給する洗浄ノズル（洗浄部）３２と、取出部３５と洗浄ノズル３２とを接続する洗浄液ライン４０と、を備えている。
【００２１】
取出部３５は、上下方向（槽１１内の処理水の深さ方向）において、トラフ２４と、ディストリビュータ１４との間の位置に配置されており、当該位置から槽１１内の処理水を取り出す。取出部３５は、少なくともディストリビュータ１４の吐出孔１８より上方に配置されている。これによって、ディストリビュータ１４の直下におけるＳＳ（Ｓｕｓｐｅｎｄｅｄ  Ｓｏｌｉｄ）分離ゾーンにおける水流を乱すことなく、取出部３５から処理水を取り出すことができる。なお、取出部３５が槽１１内の処理水を取り出す径方向における位置は、特に限定されず、槽１１の外周側の位置であってもよく、内周側の位置であってもよい（ただし、ミキシングチャンバ１２よりも外周側の位置である）。
【００２２】
洗浄液ライン４０は、取出部３５と洗浄ノズル３２とを直接接続する洗浄液の流路である。ここで、「直接接続する」とは、洗浄液ライン４０の中途位置に槽（例えば、図３に示す貯留槽５０のように、洗浄液を貯留しておく槽）を介することなく、取出部３５と洗浄ノズル３２とを接続することである。なお、洗浄液ライン４０には、ポンプやバルブなどは設けられていてもよい。洗浄液ライン４０が、取出部３５と洗浄ノズル３２とを直接接続しているため、（ポンプ３３，３８によって）取出部３５から取り出された洗浄液は、途中で貯留されることなく、直接的に洗浄ノズル３２へ供給されて、直ちにディストリビュータ１４内に供給される。従って、取出部３５から取り出された洗浄液は、洗浄液ライン４０を通過する程度の時間で、直ちにディストリビュータ１４へ供給されるため、槽１１内の処理水とディストリビュータ１４へ供給される洗浄液との間の温度差を小さくすることができる。
【００２３】
具体的に、洗浄構造３０Ａにおいて、取出部３５は、槽１１の側面に設けられた流出口（第２の流出口）３４によって構成されている。なお、流出口３４は、槽１１の側面の位置で処理水を取り出してもよいが、配管等を槽１１内に延ばすことで、側面よりも内周側で処理水を取出してもよい。また、槽１１の側面に上下方向の複数カ所に流出口３４を設け、槽１１の状態（例えば、濃縮汚泥層、凝集フロック分離槽、清澄層の状態や、処理水中のＳＳの状態など）に応じて、最適な流出口３４を選択して取出し可能な構成にしてもよい。また、周方向において複数カ所に流出口３４を設けてもよい。また、洗浄構造３０Ａにおいては、洗浄液ライン４０は、流出口３４と接続されて高速凝集沈殿槽３の外側を通るように延びる送液配管３６と、当該送液配管３６に接続されてミキシングチャンバ１２内へ洗浄液を送る洗浄液配管３１と、を備えて構成されている。洗浄液配管３１は、洗浄ノズル３２と接続されており、送液配管３６及び洗浄液配管３１を通過してきた洗浄液は、洗浄ノズル３２から噴出する。洗浄液ライン４０には中途位置（ここでは、送液配管３６）にポンプ３３が設けられている。洗浄液ライン４０は、配管（継手を含む）、ポンプ３３のみ（バルブを含んでよい）によって構成されていてよい。
【００２４】
また、具体的に、洗浄構造３０Ｂにおいて、取出部３５は、槽１１内に配置されるポンプ（第２の流出口）３８によって構成されている。取出部３５としてのポンプ３８は、槽１１内の処理水中に配置される。ポンプ３８の槽１１内の周方向における位置は特に限定されない。なお、槽１１の状態（例えば、濃縮汚泥層、凝集フロック分離層、清澄層の状態や、処理水中のＳＳの状態など）に応じて、処理水を取り出す位置が変更可能となるように、ポンプ３８を槽１１内における複数カ所に設けてもよく、槽１１において配置場所を可変にできる構成としてもよい。また、洗浄構造３０Ｂにおいては、洗浄液ライン４０は、ポンプ３８と接続されて槽１１内を通るように延びる送液配管３９と、当該送液配管３９に接続されてミキシングチャンバ１２内へ洗浄液を送る洗浄液配管３１と、を備えて構成されている。洗浄液配管３１の構成は、洗浄構造３０Ａと同様である。洗浄液ライン４０は、配管（継手を含む）のみ（バルブを含んでよい）によって構成されていてよい。
【００２５】
洗浄ノズル３２は、ディストリビュータ１４の吐出管１６が延びる方向、すなわちディストリビュータ１４の径方向外側へ向かって延びており、当該方向へ洗浄液を噴出する。これによって、洗浄ノズル３２から噴出した洗浄液は、吐出管１６内を当該吐出管１６の延在方向に向かって供給されるため、吐出管１６内の略全域、及び当該吐出管１６に形成される略全部の吐出孔１８を洗浄できる。
【００２６】
ディストリビュータ１４は回転運動を行うのに対して、洗浄液配管３１及び洗浄ノズル３２の位置は固定されており回転を行わない。従って、図２（ａ）に示す状態では、洗浄ノズル３２から噴出した洗浄液は、回転支持体１７の側面に衝突する。ディストリビュータ１４の回転運動が進行し、図２（ｂ）に示すように、吐出管１６が洗浄ノズル３２と対向する位置に配置される状態となった時に、洗浄ノズル３２からの洗浄液が吐出管１６内に供給され、当該吐出管１６内、吐出孔１８に付着した固形物Ｓを除去することができる。
【００２７】
ここで、図２に示すように、洗浄ノズル３２は、ディストリビュータ１４の内部に対し、取出部３５側へ向けて洗浄液を供給する。このような構成により、洗浄ノズル３２の洗浄液を噴出されることによって吐出孔１８から槽１１の処理水中へ押し出された固形物Ｓは、洗浄ノズル３２の噴出による圧力の影響によって、洗浄ノズル３２の洗浄液の噴出方向側へ流れる。ここで、通常は固形物Ｓは凝集フロック分離層で沈降するが、場合によって巻き上がり、清澄層（処理水）に拡散することがある。そのような場合であっても、固形物Ｓが流れる先には、取出部３５が設けられているため、吐出孔１８から吐き出された固形物Ｓは、処理水中に拡散する前に、直ちに取出部３５によって槽１１外へ取り出される。更に、洗浄ノズル３２で洗浄が行われている吐出管１６以外の吐出管１６（図２（ｂ）の例では、洗浄ノズル３２と対向していない三つの吐出管１６）付近の領域では、垂直で均一な上昇流が形成されているが、洗浄ノズル３２が取出部３５側へ向けて洗浄液を供給して直ちに固形物Ｓを取り出すことにより、他の吐出管１６付近の領域での均一な上昇流を乱すことなく洗浄を行うことが可能となる。これにより、高速凝集沈殿槽３全体の安定運転が可能となる。例えば、図２に示す例では、上下方向から見たときに、洗浄ノズル３２の洗浄液の噴出軸（図２（ａ）において一点鎖線ＣＬで示す）上に取出部３５が配置されるような構成となっている。なお、洗浄ノズル３２の噴出軸ＣＬ上に取出部３５が配置されておらず、当該噴出軸ＣＬから周方向へ離間した位置に取出部３５が設けられていてもよい。例えば、噴出軸ＣＬに対して、所定の角度（例えば、互いに隣り合う吐出管１６同士がなす角度）の範囲内に取出部３５が設けられていてよい。
【００２８】
上述のように構成された洗浄構造３０によるディストリビュータ１４の洗浄は１日に１〜２４回程度、１回につき数分程度行う。その間、高速凝集沈殿槽３の運転は停止されず、処理水の導入、駆動部の駆動及び添加剤の注入等は続けられている。このような状態において洗浄を始める場合、まずポンプ３３，３８を駆動させる。これにより、槽１１内の処理水は洗浄液ライン４０を通り、洗浄液として洗浄ノズル３２から噴出され、ディストリビュータ１４の各吐出管１６に順次供給される。これによって、吐出管１６の内壁面や吐出孔１８に付着している凝集フロック等は洗い落とされ、処理済み液と共に吐出孔１８から槽１１内に排出され、吐出管１６ないしは吐出孔１８の閉塞は未然に防止されることになる。
【００２９】
次に、本実施形態に係るディストリビュータ１４の洗浄構造３０の作用・効果について説明する。
【００３０】
ここで、図３を参照して、従来の凝集沈殿処理システムの洗浄構造２００について説明する。従来の洗浄構造２００では、トラフ２４でオーバーフローした上澄液をラインＬ５を介して貯留槽５０に貯留する。貯留槽５０と洗浄液配管５１及び洗浄ノズル５４とは、ポンプ５３が設けられた送液配管５２で接続されている。従って、従来の洗浄構造２００は、洗浄の際は、ポンプ５３を運転することによって貯留槽５０から洗浄液を取り出し、送液配管５２及び洗浄液配管５１を介して洗浄ノズル５４から洗浄液をディストリビュータ１４に噴出する。
【００３１】
従来のこのようなシステム構成においては、槽１１内の処理水を洗浄液として用いることで、槽１１内の処理水と洗浄液との間の密度差や温度差を小さくすることができるため、槽１１内の沈降分離ゾーンにて乱れが生じて清澄性が低下することを抑制できる。ただし、従来の洗浄構造２００では、槽１１から取り出した処理水を一旦貯留槽５０に貯めておいてから洗浄液として使用している。従って、貯留槽５０を設けるためのコストがかかってしまう。また、一旦処理水を貯留槽５０に貯めておくことによって、槽１１内の処理水と貯留槽５０内の処理水との間で温度差が生じる。従って、当該貯留槽５０内の処理水を用いることにより、槽１１内の処理水と洗浄液との間で温度差が生じる場合がある。
【００３２】
また、従来の洗浄構造２００では、洗浄液をディストリビュータ１４へ供給し、当該洗浄液が吐出孔１８から槽１１内へ吐き出され、当該吐き出された洗浄液はトラフ２４でオーバーフローすることで貯留槽５０へ取り出される構造となっている。従って、槽１１内における上昇速度が、洗浄を行っていないときに比して大きくなる場合がある。例えば、通常運転時（洗浄を行っていないとき）においては、ラインＬ４を通ってミキシングチャンバ１２に供給される被処理水量Ｗ１を「Ｘ」とし、汚泥ラインＬ１から抜かれる処理水量を「Ｚ」とした場合、ディストリビュータ１４の吐出孔１８から吐き出されて槽１１内を上昇する処理水量Ｗ２、及びトラフ２４でオーバーフローする処理水量Ｗ３はいずれも「Ｘ−Ｚ」となる。従って、ラインＬ５を通って貯留槽５０に貯められる処理水量Ｗ４、及び処理水として貯留槽５０から取り出される処理水量Ｗ６も「Ｘ−Ｚ」となる。一方、洗浄時において、洗浄液として貯留槽５０から取り出される処理水量Ｗ５を「Ｙ」とした場合、ディストリビュータ１４の吐出孔１８から吐き出されて槽１１内を上昇する処理水量Ｗ２は「Ｘ＋Ｙ−Ｚ」となる。また、トラフ２４でオーバーフローする処理水量Ｗ３、及びラインＬ５を通って貯留槽５０へ向かう処理水量Ｗ４はいずれも「Ｘ＋Ｙ−Ｚ」となる。このように、槽１１内を上昇する処理水量Ｗ２は、ディストリビュータ１４とトラフ２４との間の全領域において「Ｘ＋Ｙ−Ｚ」となり、通常運転時よりも多くなる。従って、洗浄時の上昇速度は、通常運転時よりも大きくなる。
【００３３】
以上のように、従来の洗浄構造２００においては、槽１１中の処理水と洗浄液との間の温度の差や、槽１１中の上昇流などによって、洗浄中における清澄性に影響が及ぼされる場合があった。
【００３４】
一方、本実施形態に係るディストリビュータ１４の洗浄構造３０によれば、槽１１内の処理水を取り出す取出部３５と、取出部３５から取り出された処理水を洗浄液としてディストリビュータ１４の内部に供給する洗浄ノズル３２とを有し、更に、取出部３５と洗浄ノズル３２とを接続する洗浄液ライン４０とを備えている。このように、取出部３５と洗浄ノズル３２とを（図３のような貯留槽５０を介することなく）直接洗浄液ライン４０で接続することによって、槽１１内の処理水と洗浄液との間の温度差を低減することができるため、槽１１内での水流の乱れを更に低減することができる。また、貯留槽を設ける必要が無くなるため、コストを低減することもできる。
【００３５】
また、ディストリビュータ１４の下側では固形物が多い領域となっているが、取出部３５はディストリビュータ１４の上側の領域から処理水を取り出すことにより、凝集フロック分離層の領域での水流を乱すことなく洗浄液を取り出すことができる。また、取出部３５は、上下方向において、処理水の水面ＷＦ側のトラフ２４とディストリビュータ１４との間の位置から、槽１１内の処理水を取り出すことによって、槽１１内で洗浄液により清澄層の上昇流の上昇速度の増加を抑制することができる。具体的には、洗浄時において、洗浄液として取出部３５から取り出される処理水量Ｗ５を「Ｙ」とし、汚泥ラインＬ１から抜かれる処理水量を「Ｚ」とした場合、ディストリビュータ１４の吐出孔１８から吐き出されて槽１１内を上昇する処理水量Ｗ１０は「Ｘ＋Ｙ−Ｚ」となる。しかしながら、取出部３５は、トラフ２４とディストリビュータ１４との間に設けられているため、トラフ２４よりも下側の位置で「Ｙ」の水量を処理水として取り出す。従って、取出部３５よりも上側の領域における上昇流の処理水量Ｗ１１は「Ｘ−Ｚ」となる。トラフ２４でオーバーフローする処理水量Ｗ３、及びラインＬ５を通って回収される処理水量Ｗ４はいずれも「Ｘ−Ｚ」となる。このように、槽１１内の上昇流は、少なくとも取出部３５よりも上側の領域では、通常運転時と同等の上昇速度とすることができる。このように、洗浄時における槽１１内の上昇速度を抑制することができるため、洗浄中における沈殿槽３での沈降性を維持することができ、清澄性を確保することができる。以上によって、ディストリビュータ１４の洗浄中における、凝集沈殿処理システム１００の高速凝集沈殿槽３の処理性能を向上することができる。なお、取出部３５は、低い位置に設けることで、上昇速度の低い領域を広くすることができる。一方、高い位置に設けることで、ＳＳの少ない領域で洗浄液を回収することができる。取出部３５は、例えば、上下方向におけるトラフ２４とディストリビュータ１４との間の中央位置付近に設けてよく、中央位置より上側に設けてよく、中央位置より下側に設けてよい。
【００３６】
また、本実施形態に係るディストリビュータ１４の洗浄構造３０において、取出部３５は、槽１１の側面に設けられた流出口３４によって構成されていている。これによって、槽１１内の処理水を容易に取り出すことが可能となる。
【００３７】
また、本実施形態に係るディストリビュータ１４の洗浄構造３０において、取出部３５は、槽１１内に配置されるポンプ３８によって構成されている。これによって、ポンプ３８の位置を変更することで容易に洗浄液の取り出し位置を変更できる。
【００３８】
また、洗浄ノズル３２は、ディストリビュータ１４内において、取出部３５側へ向けて洗浄液を供給している。これによって、ディストリビュータ１４内に付着していた固形物を、ディストリビュータ１４から吐き出されたときに直ちに取出部３５で取り出すことにより、槽１１内で拡散することを抑制できる。
【００３９】
本発明は上述の実施形態に限定されるものではない。
【００４０】
本発明の洗浄構造は、薬品を使用しないが、ディストリビュータを洗浄する構造を有しているあらゆる沈殿槽に対して適用することができる。
【符号の説明】
【００４１】
３…高速凝集沈殿槽（沈殿槽）、１４…ディストリビュータ、２４…トラフ（第１の流出口）、３０…洗浄構造、３２…洗浄ノズル（洗浄部）、３４…流出口（取出部、第２の流出口）、３５…取出部、３８…ポンプ（取出部）、４０…洗浄液ライン。
【図１】
2014200753.tif 000003
【図２】
2014200753.tif 000004
【図３】
2014200753.tif 000005